(57)【要約】【課題】荷台前側の縦板によって隔離された機器について、荷台を持ち上げずともメンテナンス可能な構成の不整地運搬車両を提供する。【解決手段】履帯式下部走行体１上に旋回フレーム８等の車体フレームを設置し、車体フレーム上に運転室１９、動力源部１３および熱交換部を搭載する。荷台９の前側の縦板１１の一部に開口部３６を設け、その開口部３６を閉塞する蓋３５を開閉可能に取付ける。メンテナンスの際には、蓋３５を取り外し、開口部３６を通じて動力源部１３および熱交換部のうちの必要な機器についてアクセスする。【選択図】図１
2015229411.tif 000002
【特許請求の範囲】
【請求項１】
履帯式下部走行体上に車体フレームを設置し、前記車体フレームの前部に運転室、動力源部および熱交換部を搭載するとともに、前記車体フレームの後部に後側の支軸を中心として上下動可能に荷台を設け、前記荷台の前部に、荷台に対して、前記運転室、前記動力源部および前記熱交換部を隔離する縦板を設け、前記縦板の上端部に庇を設けた不整地運搬車両において、
前記縦板に前記動力源部又は前記熱交換部のメンテナンス用の開口部を設けるとともに、前記開口部を閉塞する蓋を前記縦板に着脱可能または開閉可能に取付けたことを特徴とする不整地運搬車両。
【請求項２】
請求項１に記載の不整地運搬車両において、
前記動力源部は作動油タンクを含み、
前記縦板の前記開口部は、荷台から前記作動油タンクにアクセスするための開口部であることを特徴とする不整地運搬車両。
【発明の詳細な説明】
【技術分野】
【０００１】
本発明は、山岳地等の不整地においても土砂等の運搬が可能となるように、下部走行体を履帯式走行体により構成し、かつ荷台、運転室、動力源部等を設けた上部旋回体を下部走行体に設置した不整地運搬車両に関する。
【背景技術】
【０００２】
この種の不整地運搬車両として、例えば特許文献１に記載のものが知られている。この不整地運搬車両は、履帯式下部走行体上に旋回装置を介して上部旋回体を設置し、上部旋回体の基枠である旋回フレーム上の前部の左右いずれか片側に運転室を搭載し、運転室の後部に隣接して、動力源部および熱交換部を左右方向に向くようにして直列に配置して搭載し、旋回フレームの後部に設けた荷台の前部の仕切り板の縦板を、前記動力源部および熱交換部の後部に配置した構成を有している。このような配置とすることにより、動力源部および熱交換部等を水平に配置可能とし、また、燃料タンクの搭載スペースが容易に確保でき、さらに運転室の反対側の履帯がオペレータから目視でき、運転のための視界を良好にすることができる等の種々の利点が得られる。
【先行技術文献】
【特許文献】
【０００３】
【特許文献１】特開２０１１−１９４９５０号公報
【発明の概要】
【発明が解決しようとする課題】
【０００４】
不整地運搬車両の動力源部および熱交換部のメンテナンスにおいて、例えば、それらのうち作動油の補給、フィルタ等の消耗品の交換、修理等を行うことがある。そのようなメンテナンスのためには、メンテナンス対象に手や工具を挿入する等のアクセスが必要である。
【０００５】
しかしながら、前述した不整地運搬車両においては、運転室の後部周辺にアクセスする際には荷台の仕切り板の縦板が障害になる場合がある。そのような荷台の仕切り板が障害になる箇所をメンテナンスする場合には、まずエンジンを起動して油圧ポンプを動作させて油圧シリンダにより荷台を上げて、次に旋回フレームに備えられた固定具により荷台を上げたまま固定し、更にエンジンを停止させてからメンテナンスを行う必要があり、手間がかかっていた。
【０００６】
本発明は、上記の問題点に鑑み、荷台の縦板の前部に設置される機器のメンテナンス作業を行う際であっても荷台を上げる必要がなく、容易にメンテナンス箇所にアクセス可能な不整地運搬車両を提供することを目的とする。
【課題を解決するための手段】
【０００７】
請求項１の不整地運搬車両は、
履帯式下部走行体上に車体フレームを設置し、前記車体フレームの前部に運転室、動力源部および熱交換部を搭載するとともに、前記車体フレームの後部に  後側の支軸を中心として上下動可能に荷台を設け、前記荷台の前部に、荷台に対して、前記運転室、前記動力源部および前記熱交換部を隔離する縦板を設け、前記縦板の上端部に庇を設けた不整地運搬車両において、
前記縦板に前記動力源部又は前記熱交換部のメンテナンス用の開口部を設けるとともに、前記開口部を閉塞する蓋を前記縦板に着脱可能にまたは開閉可能に取付けたことを特徴とする。
【０００８】
請求項２の不整地運搬車両は、請求項１に記載の不整地運搬車両において、
前記動力源部は作動油タンクを含み、
前記縦板の前記開口部は、荷台から前記作動油タンクにアクセスするための開口部であることを特徴とする。
【発明の効果】
【０００９】
請求項１の発明によれば、車体フレーム前部における機器と荷台とを隔離する縦板にメンテナンス用の開口部を設けたため、荷台が障害になってアクセスができない機器についてメンテナンスを行う場合であっても、荷台を上げることなく開口部からメンテナンス対象にアクセスすることが可能となる。このため荷台が障害になってアクセスができない機器のメンテナンスを容易に行う事ができ、作業性が向上する。また、開口部を塞ぐ蓋を設けたことにより、荷台に荷物を積載した際であっても縦板の開口部は塞がれているので、縦板の機能が損なわれることがない。
【００１０】
請求項２の発明によれば、動力源部及び熱交換部のうち作動油タンクにアクセスするための開口部を上述の縦板に設けたことにより、作動油タンクを縦板の前部に配置した場合であっても、作動油タンクの作動油の補給等のメンテナンスを荷台を上げることなく容易に行うことができるため、作業性が向上する。
【図面の簡単な説明】
【００１１】
【図１】本発明による不整地運搬車両の一実施の形態を示す側面図である。
【図２】本実施の形態の不整地運搬車両の平面図である。
【図３】本実施の形態の不整地運搬車両において、荷台を省略して示す平面図である。
【図４】本実施の形態の不整地運搬車両を蓋が取付けられた状態で示す斜視図である。
【図５】本実施の形態の不整地運搬車両を蓋を取外した状態で示す斜視図である。
【図６】（Ａ）は縦板に蓋が取付ける構造の例を示す図４のａ−ａ断面図、（Ｂ）は蓋の他の取付け構造例を示す断面図である。
【図７】本発明の不整地運搬車両の他の実施の形態を蓋が取付けられた状態で示す斜視図である。
【図８】図７の実施の形態において、蓋を取外した状態を示す斜視図である。
【発明を実施するための形態】
【００１２】
図１は本発明による不整地運搬車両の一実施の形態を示す側面図、図２はその平面図である。また、図３は上部旋回体上の機器の配置を説明するための荷台９を省略して示す平面図である。図１〜図２において、１は履帯式下部走行体であり、この下部走行体１は、トラックフレーム２と、このトラックフレーム２の前端側に設けられた左右の駆動輪３と、トラックフレーム２の後端側に設けられた左右の従動輪４と、駆動輪３と従動輪４に掛け回された履帯５とにより構成されている。そしてこの下部走行体１は、駆動輪３によって履帯５を駆動することにより、山岳地、泥地、山道等の不整地を走行可能としたものである。
【００１３】
６は下部走行体1上に旋回装置７を介して旋回可能に設置した上部旋回体である。旋回装置７は、旋回モータにより歯車機構（いずれも図示せず）を介して上部旋回体６を旋回させるものである。上部旋回体６は、車体フレームとして設けた旋回フレーム８と、図３に示すように、その上に搭載された荷台（ベッセル）９、動力源部１３、熱交換部１７、運転室１９等とから大略構成されている。この実施の形態の不整地運搬車両は例えば土砂を運搬するものを示している。
【００１４】
図１、図２において、９ａは荷台９の両側に立設した側板である。なお、木材等を積載する用途の不整地運搬車両の場合には、荷台９の両側に木材を押さえるためのポールを取付ける。図３において、７ａは旋回装置７を構成する旋回モータ、７ｂは上部旋回体６から下部走行体１の走行モータ（図示せず）に作動油を供給するセンタージョイント、１６はコントロールバルブである。
【００１５】
運転室１９は旋回フレーム８の左右いずれかの片側（本例では左側）の前部に設置されている。動力源部１３には、エンジン２０と、これにより駆動される油圧ポンプ２１と、冷却用ファン２０ａと、作動油フィルタ３１および作動油給油口３２を有する作動油タンク３０と、燃料タンク１４と、エアクリーナー１５を備える。本実施の形態においては、この動力源部１３のエンジン２０、油圧ポンプ２１、および作動油タンク３０は、運転室１９と荷台９との間に設置されている。この動力源部１３を構成するエンジン２０や油圧ポンプ２１の軸は左右方向に向けてすなわち横向きに設置されている。
【００１６】
熱交換部１７には、エンジン２０を冷却するラジエータ２３と、油圧ポンプ２１から吐出される作動油を冷却するオイルクーラ２４とを備える。この熱交換部１７は、動力源部１３を構成するエンジン２０の冷却用ファン２０ａと左右方向に対面するように動力源部１３に対して直列に設置される。図２において、２５は動力源部１３と熱交換部１７を覆うカバーである。
【００１７】
図１に示すように、荷台９は、旋回フレーム８の後端部に設けた後側の支軸３４を中心として油圧シリンダ１８の伸縮により上下に回動するように構成され、油圧シリンダ１８を伸長させて荷台９を押し上げることにより、荷台９を傾斜させ、その中に積んだ荷物を排出できるように構成されている。
【００１８】
荷台９の前部には、運転室１９、動力源部１３および熱交換部１７を荷台９の内側から隔離するための縦板１１が設けられ、その上端には庇１２が運転室１９の頂部よりやや低い位置になるように設けられている。１０は縦板１１及び庇１２の補強のための横板である。
【００１９】
庇１２は荷物の積み込み時に土砂や塵埃等が動力源部１３や熱交換部１７にかかることを防止するために設けられる。この庇１２は、縦板１１の頂部（上端部）から前方に突出させて、動力源部１３および熱交換部１７を覆うように設けられる。
【００２０】
縦板１１には、動力源部１３又は熱交換部１７のメンテナンス用の開口部３６と、その開口部３６を塞ぐ蓋３５が着脱可能に取付けられる。
【００２１】
図４は本実施の形態において蓋３５が取付けられた状態を後方から見た斜視図であり、図５は蓋３５が取外された状態を示す斜視図である。また、図６（Ａ）は縦板１１に蓋３５が取付けられる構造を説明する図４のａ−ａ断面図である。図５に示すように、蓋３５が取り外された状態においては開口部３６が後部から見える状態になり、その開口部３６を通じて、縦板１１により隔離された動力源部１３の作動油タンク３０の作動油給油口３２および作動油フィルタ３１が縦板１１の後方（荷台９の内側）から見える状態になっている。図４、図５において、３８は動力源部１３および熱交換部１７を覆うカバーである。
【００２２】
図６（Ａ）に示すように、この蓋３５の縦板１１に対する取付けは、ボルト４０を縦板１１のボルト挿通孔１１ａおよび蓋３５のボルト挿通孔３５ｃに挿通し、縦板１１に溶接により取付けられたナット４１と螺合することによって行う。作動油タンク３０のメンテナンスの際には蓋３５を取り外して開口部３６を開き、不整地運搬車両が稼働する際には蓋３５を取付けて開口部３６を閉塞する、即ち、開口部３６に開閉可能に蓋３５を取付けている。
【００２３】
図５のように蓋３５が取り外された状態においては、開口部３６を通じて、縦板１１の後ろ側から作動油給油口３２および作動油フィルタ３１に作業者の手や工具を届かせることができる。このためメンテナンスとして作動油給油口３２への作動油を給油および作動油フィルタ３１の点検及び交換を行う際に、荷台９を上げることなく行うことができる。
【００２４】
このように、本実施の形態において設けた開口部３６は、作動油給油口３２における給油作業および作動油フィルタ３１のメンテナンス作業のために兼用されるものである。このため、この開口部３６は、作動油給油口３２における給油作業および作動油フィルタ３１のフィルタ交換の両方の作業が全て行える位置と大きさにする。
【００２５】
また、開口部３６を作動油給油口３２における給油作業を行なうための開口部としてもよい。そのように作動油給油口３２のみをとする場合には、アクセス性の観点から、開口部３６は作動油給油口３２のすぐ後方が好ましい。ただし、その作動油給油口３２の上部の蓋を取り外すことができ、その蓋を取り外した状態の作動油給油口３２に作動油を補給するための道具（如雨露やホース）を到達させて作動油補給作業ができればよいため、必ずしも作動油給油口３２のすぐ後方に位置させずともよい。即ち、開口部３６を通じてこのようなメンテナンス作業を行うために手や道具が作動油給油口３２に到達可能な範囲の位置であればよい。
【００２６】
また、開口部３６を作動油フィルタ３１のみをメンテナンスするための開口部としてもよい。そのように作動油フィルタ３１のみをメンテナンス対象とする場合には、アクセス性の観点から、開口部３６は作動油フィルタ３１のすぐ後方に設けることが好ましい。ただし、作動油フィルタ３１の交換のために、作動油フィルタ３１上部の蓋を取り外すことができ、作動油フィルタ３１を開口部３６を通じて通過させることができればよいため、必ずしも開口部３６は作動油フィルタの３１のすぐ後方に設けずともよい。即ち、開口部３６を通じてこのようなメンテナンス作業を行うために手や道具が作動油フィルタ３１に到達可能な範囲の位置であって、交換部品（作動油フィルタ３１）が通過できる大きさであればよい。
【００２７】
従来は、作動油の補給等の荷台９を上げなくてはできないメンテナンスは、エンジン２０をかけて油圧ポンプ２１作動させて油圧シリンダ１８によって荷台９を上げた後に、荷台９を上げたまま保持するストッパー３３を持ち上げてその上端を荷台９の下部に当接して荷台９の位置を保持し、その荷台９の位置を上げたままに保持した状態で、エンジン２０を停止させてから、メンテナンスを行う必要があった。これに対して本実施の形態によれば、荷台９を上げることなしにボルト４０を外して蓋３５を取り外すだけでメンテナンスをすることができるため、メンテナンスの作業性が向上する。また、開口部３６を塞ぐための蓋３５を設け、その蓋３５は作業の必要が生じた場合のみ取り外し、不整地運搬車両の稼働時は取付けた状態にするため、不整地運搬車両の稼働時に開口部３６が原因で土砂等が荷台９から動力源部１３や熱交換部１７に侵入することがない。
【００２８】
また、作動油の補給に関しては、荷台９を上げたままであると、油圧シリンダ１８が伸びた状態であることから、油圧シリンダ１８内に作動油が移動し、作動油タンクの油量が少なくなることから、その状態で、作動油タンクを満タンまで補給すると、その後荷台９を下降させたときに、油圧シリンダ１８から作動油が戻ってくるために、作動油タンクから作動油があふれ出すという不具合が生じる場合があった。しかし、この実施の形態によれば、荷台９を持ち上げた状態にすることなく作動油を補給できるから、そのような不具合が生じない。そのため作動油の補給者は作動油タンクを補給する際に油圧シリンダ１８からの作動油が戻ってくる量を考慮することが不要になり、作動油の補給作業がより簡単になる。
【００２９】
本実施の形態において、開口部３６は、メンテナンス対象として作動油タンク３０の作動油給油口３２および作動油フィルタ３１を対象とした例を示したが、それらに限らず他の部分でもよい。また、開口部３６の位置大きさは、実施の形態に示したものに限らず、縦板１１のメンテナンスの対象箇所に対応した位置にメンテナンスに必要な大きさであればよい。
【００３０】
図６（Ｂ）は、蓋３５を縦板１１に取付ける際の他の取付け構造の例を示す。
この図６（Ｂ）の取付け構造が図６（Ａ）の取付け構造にと異なる点は、開口部３６に沿って溶接により枠状の取付け板３７を設けた点であり、同じ構成要素に同じ符号を付す。この構造においては、ボルト４０を、蓋３５のボルト挿通孔３５ｃおよび取付け板３７のボルト挿通孔３７ａに挿通し、取付け板３７に溶接されたナット４１と螺合することによって、蓋３５を取付け板３７を取付ける。
【００３１】
このような取付け構造の場合、位置合わせや穴あけ加工がしやすい工場などで、取付け板３７のボルト挿通孔３７ａと蓋３５のボルト挿通孔３５ｃの位置合わせを行って、蓋３５、取付け板３７、ボルト４０およびナット４１を組み合わせたユニットを製造してから、取付け板３７を縦板１１に取付けることができる。そのため、この取付け構造によれば、図６（Ａ）のように、大きな縦板１１にボルト挿通孔１１ａを設けてボルト挿通孔３５ｃと位置合わせを行うよりも製造が容易となる。
【００３２】
図７、図８は本発明の他の実施の形態を示す斜視図であり、図４、図５の実施形態と同じ機能を発揮する部分、部品については同じ符号を用いている。この実施の形態は、図８に示すように、縦板１１に２つの開口部３６ａ，３６ｂを設け、図７に示すように、各開口部３６ａ，３６ｂにそれぞれ蓋３５ａ，３５ｂをボルト４０により取付けたものである。
【００３３】
この実施の形態においては、図８に示すように、縦板１１において作動油給油口３２に対応する部分に、作動油給油口３２にアクセスするための開口部３６ａを設け、作動油フィルタ３１に対応する部分に、作動油フィルタ３１にアクセスするための開口部３６ｂを設けている。
【００３４】
この実施の形態では、作動油給油口３２に作動油を給油する場合には蓋３５ａのみを外して開口部３６ａを開いた状態でメンテナンスを行ない、作動油フィルタ３１を交換する場合には、蓋３５ｂのみを外して開口部３６ｂのみを開いた状態でメンテナンスを行うことが可能である。また、蓋３５ａおよび蓋３５ｂの両方を外して、開口部３６ａおよび開口部３６ｂの両方を開いた状態とすれば、全体として広い開口ができるため、例えば両手をこれらの開口部３６ａ，３６ｂに挿入する等によりメンテナンスをしやすくすることができる。このように必要に応じて蓋３５ａと蓋３５ｂのいずれかを取り外すかを選択できるため、メンテナンスを行う者の蓋３５ａ，３５ｂを取り外す負担を軽減することが可能となる。
【００３５】
このように、二つの開口部３６ａ，３６ｂを設けたので、必要に応じて蓋を取り外することができるため、作業性が向上する。
【００３６】
上記実施の形態では開口部が一つの場合と二つの場合の例を示したが、開口部の数はこれらに限定されず、３つ以上であってもよい。また、開口部の大きさや  配列もメンテナンス対象となる箇所のメンテナンスが可能とする大きさであればよく、これらの実施の形態に限定されない。また、本実施の形態においては蓋３５，３５ａ，３５ｂはボルトによる取付け構造の場合を示したが、開閉可能であればよいため、例えば、ヒンジを設けて蓋が開閉する構造にしてもよいし、蓋がスライド構造で開閉する構成にしてもよいし、蓋に係止用の突起を設けて縦板１１にその突起を引っ掛けて嵌める構成にすることによって開閉可能にしてもよい。
【００３７】
また、本発明を実施する場合、運転室１９、動力源部１３および熱交換部１７の配置は、他の配置であってもよく、例えばエンジンが前後にわたって縦置きの不整地運搬車両にも本発明を適用可能である。
【符号の説明】
【００３８】
１  下部走行体
２  トラックフレーム
３  駆動輪
４  従動輪
５  履帯
６  上部旋回体
７  旋回装置
７ａ  旋回モータ
７ｂ  センタージョイント
８  旋回フレーム
９  荷台
９ａ  側板
１０  横板
１１  縦板
１２  庇
１３  動力源部
１４  燃料タンク
１５  エアクリーナー
１７  熱交換部
１８  油圧シリンダ
１９  運転室
２０  エンジン
２１  油圧ポンプ
２３  ラジエータ
２４  オイルクーラ
３０  作動油タンク
３１  作動油フィルタ
３２  作動油給油口
３３  ストッパー
３５，３５ａ，３５ｂ  蓋
３６，３６ａ，３６ｂ  開口部
３８  カバー
【図１】
2015229411.tif 000003
【図２】
2015229411.tif 000004
【図３】
2015229411.tif 000005
【図４】
2015229411.tif 000006
【図５】
2015229411.tif 000007
【図６】
2015229411.tif 000008
【図７】
2015229411.tif 000009
【図８】
2015229411.tif 000010